(57)【要約】【課題】本考案は、非力な運転者でも自動二輪車を前後に移動可能とする自動二輪車のサイドスタンドを提供する。【解決手段】停車時に車体を支えるサイドスタンドが備えられている自動二輪車のサイドスタンドにおいて、棒状体からなるサイドスタンド本体４と、該サイドスタンド本体４の下部に一体的に扁平に形成された接地部５と、該接地部５に取付け固定された車輪３からなり、前記車輪３は、あらゆる方向に回転可能なキャスター８を前記接地部５に穿孔した取付孔にボルト９及びナット１０により取付け固定される。【選択図】図２
0003158597.tif 000002
【実用新案登録請求の範囲】
【請求項１】
停車時に車体を支えるサイドスタンドが備えられている自動二輪車のサイドスタンドにおいて、棒状体からなるサイドスタンド本体と、該サイドスタンド本体の下部に一体的に扁平に形成された接地部と、該接地部に取付け固定された車輪からなることを特徴とする自動二輪車のサイドスタンド。
【請求項２】
前記車輪は、あらゆる方向に回転可能なキャスターを前記接地部に穿孔した取付孔にボルト及びナットにより取付け固定されることを特徴とする請求項１記載の自動二輪車のサイドスタンド。
【請求項３】
前記車輪は、あらゆる方向に回転可能なキャスターを前記接地部に嵌合する断面Ｕ字状の嵌合部を有する取付金具の下面に固定して、前記取付金具の断面Ｕ字状の上部に手廻しネジを設け、前記取付金具の断面Ｕ字状の上部に設けたネジ孔から手廻しネジにより前記接地部を締付けて取付金具を固定することを特徴とする請求項１記載の自動二輪車のサイドスタンド。
【請求項４】
前記車輪は、あらゆる方向に回転可能なキャスターを前記接地部にマグネットの磁着により取付け固定されることを特徴とする請求項１記載の自動二輪車のサイドスタンド。
【考案の詳細な説明】
【技術分野】
【０００１】
本考案は、非力な運転者でも自動二輪車を移動可能とする自動二輪車のサイドスタンドに関する。
【背景技術】
【０００２】
従来、自動二輪車を駐車場等の狭い場所に駐車する場合には、自動二輪車を前後に何回も転がしながらハンドルを操作して方向を変えたり、或いは後部を持ち上げたり、滑らしたりして後部を横移動して自動二輪車の方向を変えなければならなかった。
【０００３】
そこで、停車の二輪車の方向換えスタンドとサイドスタンドに両用できるスタンドが知られている(特許文献１を参照)。
この公知技術は、二輪車の側面に対して直角方向へ転がる転がり体を下部に設けた腕を、起立位置と収納位置間をガイドする機構を有したブラケットを取付け、このブラケットがサイドスタンドの起立位置と方向換えスタンドの起立位置間を回る回動機構と回動停止機構を設け、回動体以外に設けたバネ上係止部に係止して腕を付勢するバネを設け、腕ストッパーを設け、これらの腕のガイド機構、ブラケットの回動機構、バネ、腕ストッパーを介してスタンドを方向換えスタンドの起立位置にしたとき二輪車を後方から見て、縦中心下部近くに転がり体がくるようにした二輪車の両用スタンドである。
この両用スタンドは、腕を方向換えスタンドの起立位置にしたら二輪車を手前に傾けると後輪は路面から離れ、二輪車の後部の重量を転がり体にかけて後部をほぼ横方向へ転がして、後部を任意の所へ移動したら傾けている後部を起こすと後輪は着地して転がり体は路面から離れるので腕を収納位置へ回す。
これは前輪の着地点を中心として後輪を円方向に移動するものであり、二輪車を前後に移動するものではなかった。
【先行技術文献】
【特許文献】
【０００４】
【特許文献１】実開昭６２−２０９７８号公報
【考案の概要】
【考案が解決しようとする課題】
【０００５】
本考案は、非力な運転者でも自動二輪車を前後に移動可能とする自動二輪車のサイドスタンドを提供することを目的とする。
【課題を解決するための手段】
【０００６】
本考案の自動二輪車のサイドスタンドは、停車時に車体を支えるサイドスタンドが備えられている自動二輪車のサイドスタンドにおいて、棒状体からなるサイドスタンド本体と、該サイドスタンド本体の下部に一体的に扁平に形成された接地部と、該接地部に取付け固定された車輪からなるものである。
前記車輪は、あらゆる方向に回転可能なキャスターを前記接地部に穿孔した取付孔にボルト及びナットにより取付け固定されるものである。
前記車輪は、あらゆる方向に回転可能なキャスターを前記接地部に嵌合する断面Ｕ字状の嵌合部を有する取付金具の下面に固定して、前記取付金具の断面Ｕ字状の上部に手廻しネジを設け、前記取付金具の断面Ｕ字状の上部に設けたネジ孔から手廻しネジにより前記接地部を締付けて取付金具を固定するものである。
前記車輪は、あらゆる方向に回転可能なキャスターを前記接地部にマグネットの磁着により取付け固定されるものである。
【考案の効果】
【０００７】
本考案の自動二輪車のサイドスタンドは、棒状体からなるサイドスタンド本体と、該サイドスタンド本体の下部に一体的に扁平に形成された接地部と、該接地部に取付け固定された車輪からなるため、自動二輪車のサイドスタンドを立てて前輪、後輪及びサイドスタンドの車輪の３点で自動二輪車を支持するので、停車後に駐車場等の狭い場所に駐車する場合に非力な運転者でも自動二輪車を前後に移動し駐車場に駐車することができる。
また、車輪は、あらゆる方向に回転可能なキャスターを前記接地部に嵌合する断面Ｕ字状の嵌合部を有する取付金具の下面に固定して、前記取付金具の断面Ｕ字状の上部に手廻しネジを設け、前記取付金具の断面Ｕ字状の上部に設けたネジ孔から手廻しネジにより前記接地部を締付けて取付金具を固定するため、停車後に駐車場等の狭い場所に駐車する場合にサイドスタンド本体の接地部に着脱自在の取付金具の車輪を固定することにより、自動二輪車を前後に移動し駐車場に駐車し、サイドスタンド収納時にはサイドスタンド本体の接地部から取付金具の車輪を取り外してサイドスタンドを車体の収納部に収納させることができる。
【図面の簡単な説明】
【０００８】
【図１】本考案の自動二輪車のサイドスタンドの使用状態を示す説明図である。
【図２】本考案の自動二輪車のサイドスタンドの実施例の正面図である。
【図３】本考案の自動二輪車のサイドスタンドの他の実施例の正面図である。
【考案を実施するための形態】
【０００９】
本考案の自動二輪車のサイドスタンドの一実施例を図面に基づいて、以下に説明する。
自動二輪車には、停車時に車体を支えるサイドスタンドが備えられており、このサイドスタンドは、使用しないときには後輪側に跳ね上げて車体に沿って倒して収納するようにしてあって、かつ起倒位置をバネで保つようにしている。ところで、自動二輪車は車体重量が重いため、停車時に非力な運転者ではハンドルを操作しながら車体を移動させることが困難である。
そこで、図１に示すように、本考案の自動二輪車のサイドスタンドは、自動二輪車１のサイドスタンド２の下部に車輪３を備えたものである。
【００１０】
図２に示すように、本考案の自動二輪車１のサイドスタンド２は、棒状体からなるサイドスタンド本体４と、該サイドスタンド本体４の下部に一体的に扁平に形成された接地部５と、該接地部５に取付け固定された車輪３からなり、前記サイドスタンド本体４には、使用しないときには後輪側に跳ね上げて車体に沿って倒して置く起倒位置を保持するバネを係止する係着ピン６と、運転者が足で前記サイドスタンド本体２の起倒位置を操作する操作片７を備えている。
【００１１】
前記車輪３は、図２に示すように、あらゆる方向に回転可能なキャスター８を前記接地部５に穿孔した取付孔(図示せず)にボルト９及びナット１０により取付け固定される。
なお、この実施例ではキャスターとしたがこれに限らず、あらゆる方向に回転可能なコロ(球体ボール)でも良い。
なお、図２の番号１１は車体側ブラケットに係着される取付け部、番号１２は支軸孔である。
【００１２】
次に、本考案の自動二輪車のサイドスタンドの他の実施例を図面に基づいて、以下に説明する。
図３に示すように、前記車輪３は、あらゆる方向に回転可能なキャスター８を取付金具１４の下面に溶着、接着等により固定する。前記取付金具１４は前記接地部５に嵌合する断面Ｕ字状の嵌合部１３を有する。そして、前記取付金具１４の断面Ｕ字状の上部に手廻しネジ１５を設け、前記取付金具１４の断面Ｕ字状の上部に設けたネジ孔(図示せず)から手廻しネジ１５により前記接地部５を締付けて取付金具１４を固定する。
なお、この実施例ではキャスターとしたがこれに限らず、あらゆる方向に回転可能なコロ(球体ボール)でも良い。
【００１３】
通常は接地部５のみであるが停車後に駐車場等の狭い場所に駐車する場合に、サイドスタンド本体４の接地部５に着脱自在の取付金具１４を固定することにより、自動二輪車１を前後に移動し駐車場に駐車し、サイドスタンド２の収納時にはサイドスタンド本体４の接地部５から取付金具１４を取り外してサイドスタンド２を自動二輪車１の車体の収納部に収納させることができる。
なお、図３の番号１１は車体側ブラケットに係着される取付け部、番号１２は支軸孔である。
その他の実施例として、図面には記載していないが、前記車輪はあらゆる方向に回転可能なキャスターを前記接地部にマグネットの磁着により取付け固定されるものがある。
【符号の説明】
【００１４】
１  自動二輪車
２  サイドスタンド
３  車輪
４  サイドスタンド本体
５  接地部
６  係着ピン
７  操作片
８  キャスター
９  ボルト
１０  ナット
１１  取付け部
１２  支軸孔
１３  嵌合部
１４  取付金具
１５  手廻しネジ
【図１】
0003158597.tif 000003
【図２】
0003158597.tif 000004
【図３】
0003158597.tif 000005